(57)【要約】      （修正有）【課題】布団を収容して内部のエアーを抜くことで圧縮する布団圧縮袋に簡単に取付けることが出来る吸気弁の提供。【解決手段】吸気弁２は布団圧縮袋の上シートに接合することが出来る平坦な接合面１４を有し、この接合面１４には上シート３に固着する粘着テープ１５を設けている。【選択図】図３
0003130682.tif 000002
【実用新案登録請求の範囲】
【請求項１】
布団を収容して内部のエアーを抜くことで圧縮することが出来る布団圧縮袋の吸気弁において、該吸気弁は布団圧縮袋の上シートに接合することが出来る平坦な接合面を有し、この接合面には上シートに固着する粘着テープを設けたことを特徴とする布団圧縮袋の吸気弁。
【考案の詳細な説明】
【技術分野】
【０００１】
本考案は布団を収容した状態で袋内部のエアーを吸引して圧縮するための吸気弁に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように機能する吸気弁が取付けられている。このように、布団圧縮袋には吸気弁が取付けられ、この吸気弁のエヤー漏れに関する問題も残されているが、圧縮袋を折畳んでケースに収容する際の嵩張りも問題と成っている。
【０００４】
エヤー漏れ防止に関する吸気弁に関する技術は従来から色々知られている。例えば、特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。
【特許文献１】特開２００４−３３８７８４号に係る「収納袋の排気弁」
【特許文献２】特開２００５−３５５６２号に係る「弁機構」
【考案の開示】
【考案が解決しようとする課題】
【０００７】
このように、布団圧縮袋に取付けられる吸気弁(排気弁)に関する従来技術は色々知られている。ところで、吸気弁を取付けた布団圧縮袋を折畳む場合には、その体積が嵩張ってしまう。同時に硬質樹脂製の吸気弁が圧縮袋の表面と擦れてキズが付く。本考案が解決しようとする課題はこの問題点であり、製造メーカーから出荷する場合にコンパクト化してケースに収納出来、しかも圧縮袋の表面にキズを付けることのない吸気弁を提供する。
【課題を解決するための手段】
【０００８】
本考案の吸気弁が取付けられる布団圧縮袋は、布団を収容するビニール袋で構成されたもので、一辺は開口可能な形態と成っており、閉じた状態ではエアーが漏れないようにシールされる。そして、上記吸気弁は袋の中央部に取付けられ、該吸気弁にホースの先端を当てがって掃除機で吸込むことが出来る。ただし、布団圧縮袋としてのこの基本構造は従来と同じである。
【０００９】
ところで、本考案の吸気弁は概略円盤形を成し、圧縮袋の上シートに固着される接合面を有している。該接合面はリング状の平坦面で、この接合面には同じくリング状の粘着テープが固着している。該粘着テープは両面テープにて構成されていて、接合面に固着すると共に上シートに固着して取付けられる。ここで、上シートには穴が貫通して設けられ、又は穴を設けてから吸気弁を固着出来るが、逆に吸気弁を上シートに固着してから穴を設けることも可能である。そして、本考案では吸気弁の具体的な形態及び構造は限定しないことにする。
【考案の効果】
【００１０】
本考案の吸気弁は概略円盤形とし、そのリング状の平坦面で形成される接合面には粘着テープが固着している。そこで、圧縮袋の上シートに設けた穴の位置に粘着テープを介して該吸気弁を取付けることが出来る。従って、製造メーカーは圧縮袋に吸気弁を取付けた状態にする必要がなく、吸気弁取付け工数に相当するコストの削減が図られる。メーカーは折畳んだ圧縮袋と吸気弁を収納ケースに独立して収納することが出来、吸気弁を取付けた状態で収納する場合に比較してコンパクト化される。
【００１１】
そして、吸気弁を取付けた状態で圧縮袋を折畳むことは容易でなく、勿論、折畳み工数は大きくなるが、吸気弁を取付けていない本考案ではこの点もコスト削減となる。一方、吸気弁を取付けていない圧縮袋は、該吸気弁と擦れて表面にキズが付くこともない。本考案では、購入者が圧縮袋の上シートに設けた穴位置に、吸気弁の接合面に設けた粘着テープを介して該上シートに固着すればよく、この作業は一般素人でも何ら問題なく出来る。
【実施例】
【００１２】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１３】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１４】
上記布団圧縮袋としての基本形態は従来のものと共通しているが、本考案の特徴は吸気弁２にある。図１に示す布団圧縮袋はビニール袋１の上シート３の中央部に吸気弁２が取付けられているが、メーカーはこの吸気弁２を取付けない状態で出荷し、購入者自らがケースに収納されている吸気弁２を取付けることが出来るようにしている。勿論、該吸気弁２を別途購入することも可能である。
【００１５】
図３は本考案に係る吸気弁２を示す実施例であり、(ａ)は平面図、(ｂ)は正面図、(ｃ)は底面図を夫々表している。該吸気弁２は概略円盤形を成し、弁本体１０と弁蓋１１の組み合わせで構成され、弁蓋１１は弁本体１０の中央に形成した凹部に嵌着している。そして、凹部の底にはエアー流通穴が形成され、このエアー流通穴にお椀形弁が嵌っている。
【００１６】
そして、本考案の吸気弁の弁本体１０の下方には複数の脚１２，１２・・が延びている。各脚１２，１２・・間に空間１３が形成され、エアーの流れはスムーズと成る。すなわち、掃除機にて布団圧縮袋内のエアーが吸取られることで布団生地は弁本体１０の底に密着するが、各脚１２，１２・・間の空間１３，１３・・をエアーが流れてエアー流通穴から吸込まれ、エアーの吸込みが抑制されることがないようにしている。
【００１７】
ところで、弁本体１０には接合面１４が設けられ、この接合面１４は弁蓋１１が嵌る中央部を除いた外周部領域に形成され、リング状と成っている。そして、この接合面１４にはリング状の粘着テープ１５が接着されている。本考案の吸気弁２はこの粘着テープ１５を介して圧縮袋の上シート３に固着される。粘着テープ１５は両面テープと成っていて、接合面１４に固着すると共に、上シート３にも固着できる。
【００１８】
図４はこの吸気弁２を上シート３に固着して取付ける場合を表している。上シート３の中央部には穴１６が貫通して設けられ、この穴１６に位置合わせして吸気弁２は固着される。穴１６の大きさは弁蓋１１が嵌る程度であり、粘着テープ１５が上シート３に固着することで吸気弁２はビニール袋１に取付けられ、粘着テープ１５の接合面からエヤー漏れが生じることはない。
【００１９】
ここで、上シート３の穴１６は製造メーカーにて必ずしも設ける必要はなく、圧縮袋を購入した人がカッターで切断することで簡単に形成することは可能である。このように上シート３に吸気弁２が取付けられた圧縮袋には布団が収容され、該吸気弁２の弁蓋１１に掃除機のホース先端を当ててエアーを吸込むことで圧縮袋内部のエヤーがなくなり、収容した布団が圧縮される。そして、エヤーの吸い込みを停止すると同時に吸気弁２に内蔵している弁が閉じてエヤーの流れを停止する。
【００２０】
図５は吸気弁２の内部構造を示す具体例である。弁本体１０の中央部底にはお椀形弁１７が嵌り、弁蓋１１の中心からは凸部１８が下方へ延びているが、お椀形弁１７の底部との間には隙間を残している。お椀形弁１７は軟らかい樹脂で構成され、該お椀形弁１７は中央部の受け１９に載置している。受け１９の中心部にはエヤー流通穴２０が設けられ、弁蓋１１にも穴２１，２１・・が形成されている。
【００２１】
同図はお椀形弁１７にてエアー流通穴２０を閉鎖した状態を示しているが、掃除機によってエアーを吸い込む場合、お椀形弁１７の上側の気圧が低く成って該お椀形弁１７派上昇し、その為に受け１９との間に隙間が出来て、エアーは吸い込まれる。この場合、お椀形弁１７の底部は凸部１８に当接して浮上が規制される。
【００２２】
そして、掃除機が停止してエアーの抜取りが停止すると同時に、お椀形弁１７の下側の空気圧が低くなると共に上側の空気圧が高くなって、すなわちビニール袋１の内圧がマイナスと成ってお椀形弁１７は受け１９に密着する。従って、エアーが流れる隙間は無くなり、該エアー流通穴２０は閉鎖される。ここで、本考案では吸気弁２の内部構造を図５に限定するものではなく、あくまでも１具体例に過ぎない。
【図面の簡単な説明】
【００２３】
【図１】布団圧縮袋の外観図。
【図２】図１のＡ−Ａ断面拡大図。
【図３】本考案の吸気弁の外観図。
【図４】吸気弁を上シートの取り付ける場合。
【図５】本考案の吸気弁の内部構造を示す具体例。
【符号の説明】
【００２４】
１  ビニール袋
２  吸気弁
３  上シート
４  下シート
５  辺
６  辺
７  凹シール
８  凸シール
９  凹溝
10  弁本体
11  弁蓋
12  脚
13  空間
14  接合面
15  粘着テープ
16  穴
17  お椀形弁
18  凸部
19  受け
20  エヤー流通穴
21  穴
【図１】
0003130682.tif 000003
【図２】
0003130682.tif 000004
【図３】
0003130682.tif 000005
【図４】
0003130682.tif 000006
【図５】
0003130682.tif 000007